(57)【特許請求の範囲】
【請求項１】
複数の処理実行者側の処理端末装置と、複数の依頼者側の端末装置と、サーバとがネットワークを介して接続されたシステムであって、
前記サーバは、
前記処理端末装置からＩＤが送信されると、認証確認を行い、前記処理端末装置を使用可能な処理端末装置として登録する登録手段と、
前記端末装置から受付けた処理を、使用可能な処理端末装置に対して割付ける処理割付け手段と、
前記処理端末装置が、処理依頼された処理命令のＣＰＵと同一ＣＰＵ以外の演算装置を有する場合、前記処理のすべての命令を、前記処理端末装置の演算装置へ命令変換を行う命令変換手段と、
前記処理命令から変換した命令をカウントし、命令毎の演算量に応じて重み付けした処理量を算出する処理量算出手段と、
前記処理量に応じたポイントを算出するポイント算出手段と、
前記処理を前記処理端末装置に送信する送信手段と、
前記処理端末装置毎に前記ポイントを蓄積する蓄積手段と、
を備え、
前記サーバが、前記端末装置が依頼した前記処理の処理量に応じた処理実行料金を課金し、前記処理端末装置側に対して、前記ポイントに応じた対価を支払うことを特徴とする並列処理システム。
【請求項２】
複数の処理実行者側の処理端末装置と、複数の依頼者側の端末装置と、サーバとがネットワークを介して接続されたシステムであって、
前記サーバは、
前記処理端末装置からＩＤを送信されると、認証確認を行い、前記処理端末装置を使用可能な処理端末装置として登録する登録手段と、
前記端末装置から受信した処理を、使用可能な処理端末装置に対して割付け、送信する処理割付け手段と、
前記処理端末装置から受信したポイントを前記処理端末装置毎に蓄積する蓄積手段と、
を備え、
前記処理端末装置は、
処理依頼された処理命令のＣＰＵと同一ＣＰＵ以外の演算装置を有する場合、前記サーバから受信した前記処理のすべての命令を、前記処理端末装置の演算装置へ命令変換を行う命令変換手段と、
前記処理命令から変換した命令をカウントし、命令毎の演算量に応じて重み付けした処理量を算出する処理量算出手段と、
前記処理量に応じたポイントを算出するポイント算出手段と、
前記処理を実行する実行手段と、
実行結果、回答及び前記ポイントを前記サーバに送信する実行結果送信手段と、
を備え、
前記サーバが、前記端末装置が依頼した前記処理の処理量に応じた処理実行料金を課金し、前記処理端末装置側に対して、前記ポイントに応じた対価を支払うことを特徴とする並列処理システム。
【請求項３】
前記ＩＤは、予め、前記処理端末装置からの登録に対して、前記サーバが前記処理端末装置に発行した認証ＩＤであることを特徴とする請求項１又は請求項２記載の並列処理システム。
【請求項４】
前記処理端末装置は、情報端末機、携帯型端末機、携帯型電話機、演算装置を有する情報機器のいずれか一つであることを特徴とする請求項１又は請求項２記載の並列処理システム。
【請求項５】
前記処理端末装置は、外部メモリを有することを特徴とする請求項１又は請求項２記載の並列処理システム。
【請求項６】
前記処理端末装置は、未使用時間を利用するボランティア型端末装置であることを特徴とする請求項１又は請求項２記載の並列処理システム。
【請求項７】
前記処理は、処理プログラム、処理データのうち少なくとも一つを含むことを特徴とする請求項１又は請求項２記載の並列処理システム。
【請求項８】
前記サーバは、
前記ＩＤを用いて、本人認証を行うことを特徴とする請求項１又は請求項２記載の並列処理システム。
【請求項９】
複数の処理実行者側の処理端末装置と、複数の依頼者側の端末装置と、ネットワークを介して接続されたサーバであって、
前記処理端末装置からＩＤが送信されると、認証確認を行い、前記処理端末装置を使用可能な処理端末装置として登録する登録手段と、
前記端末装置から受付けた処理を、使用可能な処理端末装置に対して割付ける処理割付け手段と、
前記処理端末装置が、処理依頼された処理命令のＣＰＵと同一ＣＰＵ以外の演算装置を有する場合、前記処理のすべての命令を、前記処理端末装置の演算装置へ命令変換を行う命令変換手段と、
前記処理命令から変換した命令をカウントし、命令毎の演算量に応じて重み付けした処理量を算出する処理量算出手段と、
前記処理量に応じたポイントを算出するポイント算出手段と、
前記処理を前記処理端末装置に送信する送信手段と、
前記処理端末装置毎に前記ポイントを蓄積する蓄積手段と、
を備え、
前記端末装置が依頼した前記処理の処理量に応じた処理実行料金を課金し、前記処理端末装置側に対して、前記ポイントに応じた対価を支払うことを特徴とするサーバ。
【請求項１０】
前記ＩＤは、予め、前記処理端末装置からの登録に対して、前記サーバが前記処理端末装置に発行した認証ＩＤであることを特徴とする請求項９記載のサーバ。
【請求項１１】
前記処理端末装置は、情報端末機、携帯型端末機、携帯型電話機、演算装置を有する情報機器のいずれか一つであることを特徴とする請求項９記載のサーバ。
【請求項１２】
前記処理端末装置は、外部メモリを有することを特徴とする請求項９記載のサーバ。
【請求項１３】
前記処理端末装置は、未使用時間を利用するボランティア型端末装置であることを特徴とする請求項９記載のサーバ。
【請求項１４】
前記処理は、処理プログラム、処理データのうち少なくとも一つを含むことを特徴とする請求項９記載のサーバ。
【請求項１５】
前記ＩＤを用いて、本人認証を行うことを特徴とする請求項９記載のサーバ。
【請求項１６】
コンピュータを請求項９乃至請求項１５いずれかに記載のサーバとして機能させるプログラム。
【請求項１７】
コンピュータを請求項９乃至請求項１５いずれかに記載のサーバとして機能させるプログラムを記録した記録媒体。
【発明の詳細な説明】
【０００１】
【発明の属する技術分野】
本発明は、処理端末装置の未使用時間を利用するボランティア端末装置参加型の並列処理システムに係り、特に、処理量に応じたポイント還元に関する。
【０００２】
【従来の技術】
従来、一般ＯＡ用途に用いられているパーソナルコンピュータ等の端末装置の未使用時間を利用するボランティア端末装置参加型の並列処理システム（例えば、バイオ計算等）が幾つか存在する。
【０００３】
【発明が解決しようとする課題】
しかしながら、従来の並列処理システムでは、同一ＣＰＵを対象としたものしかなく、制御機器や携帯電話機、情報家電等の演算装置を有する機器を対象した並列処理手段はなく、また、ボランティア端末装置で処理を実行した処理量（演算量）を把握する手段や、処理に応じた適切な対価を与えるシステムもなかった。また、依頼する処理のセキュリティ（本人確認、偽造、漏洩等）は考慮されていない場合が多い。
【０００４】
本発明は、以上の点に鑑みてなされたものであり、演算装置を有する機器全てを対象とする端末装置の未使用時間を利用した並列処理を可能とし、その処理量に応じたポイント還元を行う並列処理システムを提供することを目的とする。
【０００５】
【課題を解決するための手段】
前述した目的を達成するために第１の発明は、複数の処理実行者側の処理端末装置と、複数の依頼者側の端末装置と、サーバとがネットワークを介して接続されたシステムであって、前記サーバは、前記処理端末装置からＩＤが送信されると、認証確認を行い、前記処理端末装置を使用可能な処理端末装置として登録する登録手段と、前記端末装置から受付けた処理を、使用可能な処理端末装置に対して割付ける処理割付け手段と、前記処理端末装置が、処理依頼された処理命令のＣＰＵと同一ＣＰＵ以外の演算装置を有する場合、前記処理のすべての命令を、前記処理端末装置の演算装置へ命令変換を行う命令変換手段と、前記処理命令から変換した命令をカウントし、命令毎の演算量に応じて重み付けした処理量を算出する処理量算出手段と、前記処理量に応じたポイントを算出するポイント算出手段と、前記処理を前記処理端末装置に送信する送信手段と、前記処理端末装置毎に前記ポイントを蓄積する蓄積手段と、を備え、前記サーバが、前記端末装置が依頼した前記処理の処理量に応じた処理実行料金を課金し、前記処理端末装置側に対して、前記ポイントに応じた対価を支払うことを特徴とする並列処理システムである。
【０００６】
処理量は、演算命令をカウントした演算量であり、演算命令数等に応じて、重み付けをする。ポイントは、処理量に応じて換算した値である。ＩＤは、予め、処理端末装置からの登録に対して、サーバが処理端末装置に発行した認証ＩＤである。登録情報は、処理実行者６の個人情報、処理端末装置情報等である。処理端末装置は、一般ＯＡ用途に用いられているパーソナルコンピュータ等の端末装置の未使用時間を利用するボランティア端末装置であり、情報端末機、携帯型端末機、携帯型電話機、演算装置を有する情報機器等であり、外部メモリを有する。処理は、処理プログラム、処理データ等を含む。
【０００７】
第１の発明では、サーバは、処理端末装置からＩＤが送信されると、認証確認を行い、処理端末装置を使用可能な処理端末装置として登録し、端末装置から受付けた処理を、使用可能な処理端末装置に対して割付ける。処理端末装置が、処理依頼された処理命令のＣＰＵと同一ＣＰＵ以外の演算装置を有する場合、処理のすべての命令を、処理端末装置の演算装置へ命令変換を行い、処理命令から変換した命令をカウントし、命令毎の演算量に応じて重み付けした処理量を算出し、処理量に応じたポイントを算出し、処理を処理端末装置に送信し、処理端末装置毎にポイントを蓄積する。サーバが、端末装置が依頼した処理の処理量に応じた処理実行料金を課金し、処理端末装置側に対して、ポイントに応じた対価を支払う。
【０００８】
また、第２の発明は、複数の処理実行者側の処理端末装置と、複数の依頼者側の端末装置と、サーバとがネットワークを介して接続されたシステムであって、前記サーバは、前記処理端末装置からＩＤを送信されると、認証確認を行い、前記処理端末装置を使用可能な処理端末装置として登録する登録手段と、前記端末装置から受信した処理を、使用可能な処理端末装置に対して割付け、送信する処理割付け手段と、前記処理端末装置から受信したポイントを前記処理端末装置毎に蓄積する蓄積手段と、を備え、前記処理端末装置は、処理依頼された処理命令のＣＰＵと同一ＣＰＵ以外の演算装置を有する場合、前記サーバから受信した前記処理のすべての命令を、前記処理端末装置の演算装置へ命令変換を行う命令変換手段と、前記処理命令から変換した命令をカウントし、命令毎の演算量に応じて重み付けした処理量を算出する処理量算出手段と、前記処理量に応じたポイントを算出するポイント算出手段と、前記処理を実行する実行手段と、実行結果、回答及び前記ポイントを前記サーバに送信する実行結果送信手段と、を備え、前記サーバが、前記端末装置が依頼した前記処理の処理量に応じた処理実行料金を課金し、前記処理端末装置側に対して、前記ポイントに応じた対価を支払うことを特徴とする並列処理システムである。
【０００９】
第２の発明では、サーバは、処理端末装置からＩＤを送信されると、認証確認を行い、処理端末装置を使用可能な処理端末装置として登録し、端末装置から受信した処理を、使用可能な処理端末装置に対して割付け、送信し、処理端末装置から受信したポイントを処理端末装置毎に蓄積する。処理端末装置は、処理依頼された処理命令のＣＰＵと同一ＣＰＵ以外の演算装置を有する場合、サーバから受信した処理のすべての命令を、処理端末装置の演算装置へ命令変換を行い、処理命令から変換した命令をカウントし、命令毎の演算量に応じて重み付けした処理量を算出し、処理量に応じたポイントを算出し、処理を実行し、実行結果、回答及びポイントをサーバに送信する。サーバが、端末装置が依頼した処理の処理量に応じた処理実行料金を課金し、処理端末装置側に対して、ポイントに応じた対価を支払う。
【００１０】
第５の発明は、コンピュータを第３の発明のサーバとして機能させるプログラムである。
第６の発明は、コンピュータを第３の発明のサーバとして機能させるプログラムを記録した記録媒体である。
第７の発明は、コンピュータを第４の発明の処理端末装置として機能させるプログラムである。
第８の発明は、コンピュータを第４の発明の処理端末装置として機能させるプログラムを記録した記録媒体である。
【００１１】
【発明の実施の形態】
以下、図面に基づいて本発明の本実施の形態を詳細に説明する。図１は、本実施の形態に係る並列処理システム１の概略構成を示す図である。並列処理システム１は、一般ＯＡ用途に用いられているパーソナルコンピュータ、携帯型電話機、演算装置を有する情報機器等等の処理端末装置の未使用時間を利用して、並列処理（以下、処理と称す）を行うものであり、特に、処理端末装置で処理を実行した処理量に応じてポイント還元を行うものである。
【００１２】
図１に示すように、並列処理システム１は、管理者２のサーバ３、複数の依頼者４−１、４−２、…の端末装置５−１、５−２、…、複数の処理実行者６−１、６−２、…の処理端末装置７−１、７−２、…、ネットワーク９、金融機関１０−１、１０−２のコンピュータ１１−１、１１−２等からなる。
【００１３】
並列処理システム１は、例えば、インターネットなどのネットワーク９を介して、管理者２のサーバ３と、複数の依頼者４−１、４−２、…の端末装置５−１、５−２、…と、複数の処理端末装置７−１、７−２、…と、金融機関１０−１、１０−２のコンピュータ１１−１、１１−２等が接続されて構成される。
【００１４】
管理者２は、並列処理システム１を管理するサービスプロバイダ等であり、サーバ３を有する。サーバ３は、処理端末装置登録データベース１２を有する。サーバ３は、端末装置５から処理を受付け、使用可能な複数の処理端末装置７に処理を割付け、処理依頼する処理量を算出し、処理を割付けた処理端末装置７に分配する。処理端末装置７から実行結果を受信すると、処理量に応じたポイントを処理端末装置登録データベース１２に蓄積し、端末装置５に実行結果を送信する。
【００１５】
処理端末装置登録データベース１２には、処理端末装置７毎の認証ＩＤ、個人情報、処理端末装置情報等の登録情報とポイントが保持されている。
【００１６】
依頼者４は、処理を依頼する依頼者であり、端末装置５を有する。端末装置５は、ネットワーク９を介して、サーバ３に処理を依頼し、サーバ３から処理の実行結果を受信し取得する。尚、端末装置５は、パーソナルコンピュータ、携帯型端末機等である。
【００１７】
処理端末装置７−１、７−２、…は、ＵＳＢ（Ｕｎｉｖｅｒｓａｌ  Ｓｅｒｉａｌ  Ｂｕｓ）メモリ・キー等の外部メモリ８−１、８−２、…を有する。処理端末装置７−１、７−２、…（又は、外部メモリ８−１、８−２、…）は、処理端末装置７の使用状況を監視し、状況の変化に応じて使用状況情報を管理サーバ３に送信し、サーバ３から受け取った処理を実行し、処理終了すると、実行結果をサーバ３に送信する。尚、サーバ３側か、処理端末装置７側のどちらかに、必要に応じて、処理のすべての命令をＣＰＵ変換し、算出した処理量に応じてポイントを算出する機能を有する。
【００１８】
処理端末装置７−１、７−２、…は、一般ＯＡ用途に用いられているパーソナルコンピュータ等の処理端末装置の未使用時間を利用するボランティア処理端末装置である。尚、処理端末装置７は、パーソナルコンピュータ、携帯型端末機、携帯電話機、演算装置を有する機器等である。
【００１９】
次に、並列処理システム１の処理の流れを説明する。図２は、並列処理システム１の処理の流れを示す。
【００２０】
図２に示すように、処理端末装置７−１が、例えば、ＵＳＢメモリ・キー等の外部メモリ８−１に有する場合、外部メモリ８−１は、登録機能１３、本人認証機能１４、使用状況機能１５、ＣＰＵ命令変換機能１６、処理ポイント算出機能１７等を有する。サーバ３は、処理端末装置登録機能２１、認証確認機能２２、処理端末装置管理機能２３、処理受付け機能２４、処理割付け機能２５、実行結果取得機能２６、ポイント管理機能２７、課金処理２８等を有する。端末装置５−１は、実行結果取得機能２６を有する。尚、ＣＰＵ命令変換機能１６、処理ポイント算出機能１７は、サーバ３側に有してもよい。
【００２１】
処理端末装置７−１（例えば、携帯電話機）は、予め、外部メモリ８−１の登録機能１３により、登録情報４１をサーバ３に送信し、サーバ３の処理端末装置登録機能２１は、受け取った登録情報４１を、処理端末装置登録データベース１２に登録、保持し、処理端末装置７−１側に認証ＩＤ４２を発行する。
【００２２】
外部メモリ８−１の本人認証機能１４は、認証ＩＤ４２を送信し、サーバ３は、認証ＩＤ４２を受け取り、認証確認機能２２は、処理端末装置登録データベース１２を用いて、認証ＩＤの確認を行い、処理端末装置７−１を使用可能な処理端末装置として登録する。また、サーバ３の情報端末装置７管理機能２３は、処理端末装置７−１側（外部メモリ８−１）の使用状況監視機能１５から状態の変化に応じた使用状況情報（未使用／使用中）を受信し、処理端末装置の使用状況を登録する。
【００２３】
依頼者４−１の端末装置５−１は、サーバ３に処理依頼４４を行い、サーバ３の処理受付け機能２４は処理を受付ける。サーバ３の処理割付け機能２５は、使用可能な処理端末装置７に対して割付け、処理依頼４５を行う。
【００２４】
処理端末装置７−１側の外部メモリ８−１は、受信した処理を必要に応じて、ＣＰＵ命令変換機能１６により、処理端末装置７−１のＣＰＵへ命令変換し、処理ポイント算出機能１７により、処理量に応じたポイントを算出する。
【００２５】
外部メモリ８−１は、処理端末装置７−１に命令変換した処理の処理依頼４６を行う。処理端末装置７−１は、受け取った処理を実行し、実行結果／回答４７を返す。外部メモリ８−１は、必要に応じて実行結果／回答を命令変換し、実行結果／回答４８とポイント５０をサーバ３に送信する。
【００２６】
サーバ３は、実行結果取得機能２６により、受け取った実行結果／回答４９を端末装置５−１に送信し、ポイント管理機能２７により、ポイントを管理、蓄積する。
【００２７】
端末装置５−１側からサーバ３に処理量に応じた課金５１等を金融機関１０−１のコンピュータ１１−１を介して行い、処理端末装置７−１側に、ポイントに応じた対価を支払う。
【００２８】
次に、並列処理システム１の処理手順を詳しく説明する。図３、図４、図５は、並列処理システム１の処理手順を示すフローチャートである。
【００２９】
処理端末装置７−１の外部メモリ８−１は、予め、サーバ３にボランティア処理端末装置としての登録要求送信後、個人情報（氏名、住所、電話番号、メールアドレス等）、処理端末装置情報（処理端末装置の種類）等の登録情報を入力し、サーバ３に送信する（ステップ２０１）。
【００３０】
サーバ３は、受け取った登録情報を、処理端末装置登録データベース１２に登録、保持し（ステップ２０２）、処理端末装置７−１に認証ＩＤ（例えば、ＵＳＢメモリ・キーのキーＮｏ等）を発行する（ステップ２０３）。処理端末装置７−１の外部メモリ８−１は、認証ＩＤを保持する（ステップ２０４）。
【００３１】
処理端末装置７−１が起動されると、スクリーンセーバ等の機能を用いて、未使用時に認証ＩＤをサーバ３に送信する（ステップ３０１）。サーバ３は、受け取った認証ＩＤを、処理端末装置登録データベース１２を用いて、認証確認を行い（ステップ３０２）、処理端末装置７−１を使用可能な処理端末装置７として登録する（ステップ３０３）。
【００３２】
依頼者４−１の端末装置５−１は、サーバ３に処理を依頼し（ステップ３０４）、サーバ３は処理を受付ける（ステップ３０５）。サーバ３は、受付けた処理を必要に応じて分割し、使用可能な処理端末装置７に対して割付け、処理端末装置７−１に処理分配する（ステップ３０６）。
【００３３】
図４に示すように、処理端末装置７−１の外部メモリ８−１は、処理（処理プログラム、処理データ等）を受信し（ステップ４０１）、必要に応じて、処理命令に対して、処理端末装置７−２のＣＰＵへの命令変換を行う（ステップ４０２）。例えば、処理依頼されたインテルのＣＰＵの処理命令を処理端末装置７の異なるクルーソーのＣＰＵの命令に変換する。この際、変換した命令をカウントし、処理量（演算量）を算出する（ステップ４０３）。処理量は、演算命令数に応じて、重み付けを行ってもよい。例えば、掛け算等は命令数が多く、重みが増す。
【００３４】
外部メモリ７−１は、処理量に応じたポイントを算出する（ステップ４０４）。ポイントは、処理単位毎にポイントを定めてもよいし、処理命令毎にポイントを定めてもよい。例えば、ある画像生成プログラムを処理端末装置７に送信し、処理データ（画面の１コマ分のデータ）を入力とし画像の一部分を生成する処理をポイント１とし、処理データｎコマ分の処理を実行するとポイントｎとなる。
【００３５】
外部メモリ８−１は、命令変換した処理を処理端末装置７−１に処理依頼する（ステップ４０５）。処理端末装置７−１は、処理の実行を行う（ステップ４０６）。
【００３６】
処理端末装置７−１は、処理終了時、実行結果／回答を外部メモリ８−１に渡す（ステップ４０７）。
【００３７】
外部メモリ８−１は、実行結果／回答を、必要に応じて、処理の元のＣＰＵへ命令変換する（ステップ４０８）。例えば、処理端末装置７のクルーソーのＣＰＵでの処理の実行結果をインテルのＣＰＵに対応して命令変換する。外部メモリ８−１は、実行結果／回答、及びポイントをサーバ３に送信する（ステップ４０９）。
【００３８】
図５に示すように、サーバ３は、受け取った実行結果／回答を格納する（ステップ５０１）。また、サーバ３は、受け取ったポイントを処理端末装置登録データベース１２の該当処理端末装置のポイントに蓄積し、管理する（ステップ５０２）。
【００３９】
サーバ３は、依頼者４−１側の端末装置５−１に実行結果／回答を送信し（ステップ５０３）、端末装置５−１は、実行結果／回答を受け取る（ステップ５０４）。
【００４０】
サーバ３は、依頼者４−１側からの処理量に応じた処理実行料金を、金融機関１０−１のコンピュータ１１−１を介して、受け取る（ステップ５０５）。サーバ３は、処理端末装置７−１側にポイントに応じた対価を、金融機関１０−２のコンピュタ１１−２を介して、支払う（ステップ５０６）。例えば、処理端末装置７−１が携帯電話機の場合、携帯電話機の使用料金をポイントに応じて割引く。また、処理実行者６は、蓄積したポイントを自由に取得し、ポイントに応じた対価に還元できる。
【００４１】
以上説明したように、本実施の形態によれば、処理端末装置７−１が起動されると、外部メモリ８−１の本人認証機能１４は、認証ＩＤ４２を送信し、サーバ３は、認証ＩＤ４２を受け取り、処理端末装置登録データベース１２を用いて、認証ＩＤの確認を行い、使用可能な処理端末装置として登録する。サーバ３は、端末装置５−１から処理依頼４４を受付け、受付けた処理を、使用可能な処理端末装置７に対して割付け、処理依頼４５を行う。
【００４２】
処理端末装置７−１側の外部メモリ８−１は、受信した処理を必要に応じて、ＣＰＵ命令変換機能１６により、処理端末装置７−１のＣＰＵへ命令変換し、処理ポイント算出機能１７により、処理量に応じたポイントを算出する。外部メモリ８−１は、処理端末装置７−１に命令変換した処理の処理依頼４６を行う。処理端末装置７−１は、受け取った処理を実行し、実行結果／回答４７と算出したポイントを、外部メモリ８−１を介して、サーバ３に送信する。サーバ３は、処理端末装置登録データベース１２にポイントを管理、蓄積する。
【００４３】
これにより、処理量を把握できるようになり、ポイントに応じた還元が可能となり、処理に応じた適切な対価を与えることができる。また、異なるＣＰＵの演算装置を有する携帯電話、制御機器、情報家電等の機器を用いた並列処理が可能となり、更に、並列処理の高速化が可能となる。更に、ＩＤにより本人確認を行うことにより、セキュリティも向上する。更に、本人確認を行うことにより、偽造、漏洩等を防ぎ、セキュリティが向上する。
【００４４】
尚、本実施の形態では、処理端末装置７側の外部メモリ８がＣＰＵ命令変換機能や、処理ポイント算出機能等を有したが、サーバ３側にこれらの機能を有し（例えば、携帯電話機へのＪａｖａ（登録商標）対応機能等）、命令変換後の処理を処理端末装置７側へ処理依頼してもよい。
【００４５】
また、図３、図４、図５に示す処理を行うプログラムはＣＤ−ＲＯＭ等の記録媒体に保持させて流通させてもよいし、このプログラムを通信回線を介して送受することもできる。
【００４６】
【発明の効果】
以上、詳細に説明したように本発明によれば、演算装置を有する機器全てを対象とする端末装置の未使用時間を利用した並列処理を可能とし、その処理量に応じたポイント還元を行う並列処理システムを提供することができる。
【図面の簡単な説明】
【図１】  本実施の形態に係る並列処理システム１の概略構成を示す図
【図２】  並列処理システム１の処理の流れを示す図
【図３】  並列処理システム１の処理手順を示すフローチャート
【図４】  並列処理システム１の処理手順を示すフローチャート
【図５】  並列処理システム１の処理手順を示すフローチャート
【符号の説明】
１………並列処理システム
２………管理者
３………管理サーバ
４………依頼者
５………端末装置
７………処理端末装置
６………処理実行者
８………外部メモリ
９………ネットワーク
１０………金融機関
１１………コンピュータ
１２………処理端末装置登録データベース
【図１】
0004093396.tif 000002
【図２】
0004093396.tif 000003
【図３】
0004093396.tif 000004
【図４】
0004093396.tif 000005
【図５】
0004093396.tif 000006